(57)【要約】内側へ折り畳みが可能な底部を有する枕カバー状の包みの一般的な形状の折り畳み式買い物袋（１０）は、一般的な平面において底部を伸びる形状にすることができる折り畳み線と共に形成され、伸びた時に袋の矩形状であり外側へくぼむ側面（１１）と、折り畳んだ時に内側へ凹む側面（１１）との間を形成する。底部又は閉端は、側面（１１）の対向端（１３）と重複連結部（１２）との間で伸びている複数の重複連結部（１２）から形成され、側面（１１）が互いに折り畳めるように、折り畳み線（１４，１６）に関して袋（１０）を内側へ折り畳むことができる。重複連結部（１２）は、対向する底部へ接着又は粘着されるタブ（１７）を有する。袋は厚紙やプラスチックのようなやや堅い素材から作られ、取っ手（２２）を備える。
2008515728.tif 000002
【特許請求の範囲】
【請求項１】
少なくとも１つの閉端を備えた包み、袋又は容器であって、
組み立てられた時に、折り畳む時に、平らにつぶれるように構成された少なくとも一組の相互に接続され、実質上は矩形であり外方に凸状の側面パネル又は壁と、
個々の前記側面パネルの近接する端を接続している１つの部品又は複数の部品から形成された閉端と、
からなり、前記１つの部品又は複数の部品は、前記側面パネルが互いにつぶされる際に、前記側面パネルの一組の対向端を有する平面の対向する側で前記容器の内側へ向かって折り畳める又はつぶれることを特徴とする包み、袋又は容器。
【請求項２】
前記１つの又は複数の部品は、前記包みが形成される時には、単一の部品であり又、前記側面パネルが互いに折り畳まれる際に、前記側面パネルの内側へ前記部品の折り畳みを容易にする折り畳み線を有することを特徴とする請求項１に記載の包み、袋又は容器。
【請求項３】
少なくとも前記複数の折り畳み線は、それに沿ってミシン目を有することを特徴とする請求項１又は２に記載の包み、袋又は容器。
【請求項４】
前記包み、袋又は容器からの前記部品の外方へのずれに耐えるために、前記包み、袋又は容器を組み立てる時に、近接する部品が実質的に平らに配置され重なり合うことによって、それらの連結を形成するように、前記部品は重なり合う関係を有することを特徴とする前記請求項１〜３のいずれかに記載の包み、袋又は容器。
【請求項５】
前記折り畳み線は、前記容器が組み立てられる時に、前記平面に対して実質上垂直に折り曲げられることを特徴とする前記請求項１〜４のいずれかに記載の包み、袋又は容器。
【請求項６】
前記容器が組み立てられる時に、前記折り畳み線は、対向する側端の間の中間点から一方の対向側面の端へ向かって平面に関して、異なる及び減少している角度で、折り曲げられていることを特徴とする請求項１又は４に記載の包み、袋又は容器。
【請求項７】
前記容器の閉端はその底部を備え、前記容器の前記閉端の対向端は前記容器に品物を挿入するために開口していることを特徴とする前記請求項１〜６のいずれかに記載の包み、袋又は容器。
【請求項８】
底部の板は、側面部の前記内側へ配置され、取り外せるように貼られたことを特徴とする前記請求項１〜７のいずれかに記載の包み、袋又は容器。
【請求項９】
前記重なり合っている部分は、前記包みが組み立てられる時に、互いに接着されることを特徴とする前記請求項１〜８のいずれかに記載の包み、袋又は容器。
【請求項１０】
本発明に係る容器の開口端は取っ手を備えることを特徴とする前記請求項１〜９のいずれかに記載の包み、袋又は容器。
【請求項１１】
前記包み、袋又は容器は、単一の部品の半加工品から形成され、組み上げられた状態へ広げることができるつぶされた容器を提供するために、切断され、折り曲げられ、接着されることを特徴とする前記請求項１〜１０のいずれかに記載の包み、袋又は容器。
【請求項１２】
実質上前記のように、添付図面の参照とともに記述されることを特徴とする前記包み、袋又は容器。
【発明の詳細な説明】
【技術分野】
【０００１】
本発明は好適には、やや堅い素材から形成された包装材、より詳細には容器、袋、大型容器等に関する。
【背景技術】
【０００２】
本発明は、買い物袋に関して説明されるが、他の多くの用途への広範な適用性を有すると理解される。
【０００３】
典型的な買い物袋は、その頂上部が開いており、折り畳み式で柱状の物品として形成された厚紙、プラスチック又は可塑化材料等から作られる。多くの場合、それらの袋は、使用中に袋を運ぶために開口上端(open  top)の近傍に取っ手を備える。
【０００４】
以下で示す明細書や特許請求の範囲を通して、前後の文脈が他の意味を必要としなければ、”備える(comprise)”の語、及び”からなる(comprises)”又は”備えている(comprising)”の用語は、述べられた整数又は階段、あるいは整数又は階段を含むが、その他の整数又は階段、あるいは整数又は階段を除外するものではないと理解される。
【０００５】
この明細書の中でのいずれかの先行技術への参照は、その先行技術がオーストラリアにおいて一般常識の一部を形成することを認識、又は示唆するものではない。
【０００６】
矩形状に合致し、容器の形を形成するように構成された品物、物質又は対象を収容する場合を除いて、矩形型の袋内の空間は十分に活用されていない。空間を完全に使用できる形状を有しない商品を収容するために容器を使用する時には、容器が作られる素材や、矩形の柱状の袋又は容器内の不要で使用しない空間が無駄となる。
【０００７】
一般的に柔らかい又はしなやかな品物を収容するために使用される折り畳み式の袋の公知の形状は、枕カバー状の包み(pillow  pack)である。枕カバー状の包みは、包みへ詰めるための少なくとも１つの開口可能な端部(openable  end)を有する２つの曲がった矩形の側面を有する。個々の端部(end)が一対のフラップ(flap)により形成されるのであれば、フラップは曲がったヒンジ線から個々の側面の対向端に沿って伸びている。フラップは、それらの個々のヒンジ線に関して折り畳まれ、それらのヒンジ線の湾曲から生ずるオーバーセンター作用（over-centre  action）によって、重なり合っている形状に保持される。枕カバー状の包みは、個々の側面の端部で内側へ凹むように折れ曲がる曲がったヒンジ線の回りに、最も外側の閉じられたフラップを回転することによって、たやすく開くことができる。その後、下にあるフラップは同様に回転して、枕カバー状の包みの端部を十分に開くことができる。
【０００８】
フラップが閉じられると、蓋を被せずに包装材をその閉端上に載せることができる平らな端部の面がなく、枕カバー状の包みはくぼんで曲がった閉端になる。
【０００９】
本発明に関係のある先行技術は、JP2003312683の開示のみならず、米国特許第3,437,258号、第5,048,749号、第6,152,359号、第5,911,358号及び第6,513,704号も含まれる。
【発明の開示】
【発明が解決しようとする課題】
【００１０】
本発明は、少なくとも１つの閉端を備えた包み、袋又は容器であって、組み立てられた時に、折り畳む時に、平らにつぶれるように構成された少なくとも一組の相互に接続され、実質上は矩形であり外方に凸状の側面パネル又は壁と、個々の前記側面パネルの近接する端を接続している１つの部品又は複数の部品から形成された閉端と、からなり、前記１つの部品又は複数の部品は、前記側面パネルが互いにつぶされる際に、前記側面パネルの一組の対向端を有する平面の対向する側で前記容器の内側へ向かって折り畳める又はつぶれることを特徴とする包み、袋又は容器を提供することを目的とする。
【課題を解決するための手段】
【００１１】
好ましくは。前記１つの又は複数の部品は、前記包みが形成される時には単一の部品であり又、前記側面パネルが互いに折り畳まれる際に、前記側面パネルの内側へ前記部品の折り畳みを容易にする折り畳み線を有することが好ましい。更に好適な形態においては、折り畳み線は、少なくとも複数の折り畳み線に沿ってミシン目を有する。
【００１２】
他の実施形態においては、前記包み、袋又は容器からの部品の外方へのずれに耐えるために、前記包み、袋又は容器を組み立てる時に、近接する部品が実質的に平らに配置され重なり合うことによって、それらの連結を形成する前記部品が重なり合う関係を有する。
【００１３】
他の形態では、前記折り畳み線は、前記容器が組み立てられる際に、前記平面に対して実質上垂直に折り曲げられる。
【００１４】
更に他の形態では、前記容器が組み立てられる時に、前記折り畳み線は、対向する側面の端の間の中間点から一方の対向する側面の端へ向かって、平面に関して異なる及び減少する角度で、折り曲げられている。
【００１５】
好ましくは、前記容器の閉端はその底部(base)を備え、前記容器の前記閉端の対向端(opposed  end)は前記容器に品物を挿入するために開口している。
【００１６】
更なる実施形態では、底部の板は、側壁の内側へ配置され、取り外せるように貼られている。底部の板は、底の形状に対して推補的な形状であることが好ましい。包みが開いた形態に組み立てられると、底部の板は側面から取り外され、その包みの閉端で部品を背に配置される。
【００１７】
更に他の実施形態では、重なり合っている部分は、前記包みが組み立てられる時に、互いに接着される。
【００１８】
他の実施形態においては、本発明に係る容器の開口端は取っ手を備える。
【００１９】
特に好適な形態においては、本発明に係る包み又は容器は、単一の部品の半加工品から形成され、切断され、折り曲げられ、接着されて組み上げられた状態へ広げることができるつぶされた容器を提供する。
【００２０】
本発明は、添付図面を参照すると共に例示によって説明される。
【発明を実施するための最良の形態】
【００２１】
図１Ａと１Ｂに示される袋１０は、２つの外方に凸状の矩形の側面１１と、側面１１の対向端１３の間で延びる複数の重複連結部１２から形成された底部と、を備える。個々の重複連結部１２は、側面１１が互いにつぶされる際に、折り畳み線１４に関して袋又は容器１０の内部へ折り畳める。
【００２２】
側面１１の内側表面に、取り外し可能に貼られた底部の板（図示せず）は、袋１０がつぶされた又は平らな状態から広げられ又は組み立てられる際に、手動で取り外される。伸ばされた底の部品と同じ平面形状を有する底部の板は、剛性を確保し底を形作るために重複連結部１２の内部表面に寄りかかって押し出され、重複連結部１２が袋１０の内部へ折り畳まれることを阻止する。
【００２３】
図１Ａに、袋１０の近接する開口端１６に取っ手（図示せず）を取り付けるために、側面１１に孔１５が示されている。
【００２４】
図２-６において、共通の要素又は構成部品には図１Ａ及び１Ｂで使用されるのと同じ参照番号が付されている。
【００２５】
図２-４における半加工品（ブランク）は、折り目は波線で示し、一方で切断線は実線で示されている。
【００２６】
図２において、底部の重複連結部１２は２つのハーフ部（half）から形成され、２つのハーフ部１２は内側へ折れ、外側へ動かして袋１０に平らな底を形成することを容易にするために、折り畳み線１６を有する。タブ１７は、接着すること等によって半加工品の組み立ての間に、対向する底部の重複連結部１２に接着するように構成されている。ヒンジタブ１８は、組み立てられる間であって側面１１が折り畳み線２０に関して折り曲げられた後、側面１１が接合される時に端部１９の内側へ接着されるように構成されている。
【００２７】
図３と図４の実施形態において、図２の実施形態における単一の折り曲げられた重複連結部１２に代わって、複数の分離した重複連結部１２を有する。
【００２８】
図面で示された実施形態の半加工品は、典型的には打ち抜き(die  cut)により形成され、公知の買い物袋の構成で採られる方法と同様の方法で折り畳まれ接着される。
【００２９】
最後に、この態様のいずれかの中にある独創的な概念は、さまざまな構造の中で取り入れることができ、上記説明の一般概念は添付図面の詳細な事項によって取って代わるものではないと理解するべきである。本発明の精神又は範囲から逸脱することなしに、さまざまな代案、改良例及び/又は付加が、さまざまな構造や部材の配置に取り入れられるであろう。
【図面の簡単な説明】
【００３０】
【図１Ａ】本発明の一例に係る買い物袋の実施形態の斜視図。
【図１Ｂ】その底面上で静止している図１Ａの実施形態の斜視図。
【図２】図１Ａ及び１Ｂに図示された袋を形成するための半加工品の第１実施形態の平面図。
【図３】図２と同様に、半加工品の第２実施形態の平面図。
【図４】図２と同様に、図１Ａと図１Ｂに図示された種類の袋を形成するように構成された半加工品の第３実施形態の平面図。
【図５】図２と同様に、本発明に係る袋を形成するための半加工品の第４実施形態の平面図。
【図６】図５の部品の拡大図。
【符号の説明】
【００３１】
１０  袋
１１  側面
１２  重複連結部
１４、２０  折り畳み線
２２  取っ手
【図１Ａ】
2008515728.tif 000003
【図１Ｂ】
2008515728.tif 000004
【図２】
2008515728.tif 000005
【図３】
2008515728.tif 000006
【図４】
2008515728.tif 000007
【図５】
2008515728.tif 000008
【図６】
2008515728.tif 000009
【図７】
2008515728.tif 000010
【図８】
2008515728.tif 000011
【図９】
2008515728.tif 000012
【図１０】
2008515728.tif 000013
【図１１】
2008515728.tif 000014
【図１２】
2008515728.tif 000015
【図１３】
2008515728.tif 000016
【図１４】
2008515728.tif 000017
【手続補正書】
【提出日】平成18年7月14日(2006.7.14)
【手続補正１】
【補正対象書類名】特許請求の範囲
【補正対象項目名】全文
【補正方法】変更
【補正の内容】
【特許請求の範囲】
【請求項１】
少なくとも１つの閉端を備えた包み、袋又は容器であって、
組み立てられた時に、折り畳む時に、平らにつぶれるように構成された少なくとも一組の相互に接続され、実質上は矩形であり外方に凸状の側面パネル又は壁と、
個々の前記側面パネルの近接する端を接続している１つの部品又は複数の部品から形成された閉端と、
からなり、前記１つの部品又は複数の部品は、前記側面パネルが互いにつぶされる際に、前記側面パネルの一組の対向端を有する平面内の第１折り畳み線に関して、前記容器の内側へ向かって折り畳める又はつぶれ、前記包み、袋又は容器からの前記部品の外方へのずれに耐えるために、前記包み、袋又は容器を組み立てる時に、近接する前記部品が実質的に平らに配置され重なり合うことを特徴とする包み、袋又は容器。
【請求項２】
前記１つの又は複数の部品は、前記包みが形成される時には、単一の部品であり又、前記側面パネルが互いに折り畳まれる際に、前記側面パネルの内側へ前記部品又は複数の部品の折り畳みを容易にする追加の折り畳み線を有することを特徴とする請求項１に記載の包み、袋又は容器。
【請求項３】
少なくとも前記複数の追加の折り畳み線は、それに沿ってミシン目を有することを特徴とする請求項１又は２に記載の包み、袋又は容器。
【請求項４】
前記追加の折り畳み線は、前記容器が組み立てられる時に、前記第１折り畳み線を有する前記平面に対して実質上垂直に折り曲げられることを特徴とする請求項２又は３のいずれかに記載の包み、袋又は容器。
【請求項５】
前記容器が組み立てられる時に、前記追加の折り畳み線は、対向する側端の間の中間点から一方の対向側面の端へ向かって平面に関して、異なる及び減少している角度で、折り曲げられていることを特徴とする請求項１又は４に記載の包み、袋又は容器。
【請求項６】
前記容器の閉端はその底部を備え、前記容器の前記閉端の対向端は前記容器に品物を挿入するために開口していることを特徴とする前記請求項１〜５のいずれかに記載の包み、袋又は容器。
【請求項７】
底部の板は、側面部の前記内側へ配置され、取り外せるように貼られたことを特徴とする前記請求項１〜６のいずれかに記載の包み、袋又は容器。
【請求項８】
前記重なり合っている部分は、前記包みが組み立てられる時に、互いに接着されることを特徴とする前記請求項１〜７のいずれかに記載の包み、袋又は容器。
【請求項９】
本発明に係る容器の開口端は取っ手を備えることを特徴とする前記請求項１〜８のいずれかに記載の包み、袋又は容器。
【請求項１０】
前記包み、袋又は容器は、単一の部品の半加工品から形成され、組み上げられた状態へ広げることができるつぶされた容器を提供するために、切断され、折り曲げられ、接着されることを特徴とする前記請求項１〜９のいずれかに記載の包み、袋又は容器。
【請求項１１】
実質上前記のように、添付図面の参照とともに記述されることを特徴とする前記包み、袋又は容器。
【手続補正２】
【補正対象書類名】明細書
【補正対象項目名】００１０
【補正方法】変更
【補正の内容】
【００１０】
本発明は、少なくとも１つの閉端を備えた包み、袋又は容器であって、組み立てられた時に、折り畳む時に、平らにつぶれるように構成された少なくとも一組の相互に接続され、実質上は矩形であり外方に凸状の側面パネル又は壁と、個々の前記側面パネルの近接する端を接続している１つの部品又は複数の部品から形成された閉端とからなり、前記１つの部品又は複数の部品は、前記側面のパネルが互いにつぶされる際に、前記側面のパネルの一組の対向端を有する平面内の第１折り畳み線に関して、前記容器の内側へ向かって折り畳める又はつぶれ、前記包み、袋又は容器からの前記部品の外方へのずれに耐えるために、前記包み、袋又は容器を組み立てる時に、近接する部品が実質的に平らに配置され重なり合う包み、袋又は容器を提供することを目的とする。
【手続補正３】
【補正対象書類名】明細書
【補正対象項目名】００１１
【補正方法】変更
【補正の内容】
【００１１】
好ましくは、前記１つの又は複数の部品は、前記包みが形成される時には単一の部品であり又、前記側面パネルが互いに折り畳まれる際に、前記側面パネルの内側へ前記部品又は複数の部品の折り畳みを容易にする追加の折り畳み線を有することが好ましい。更に好適な形態においては、折り畳み線は、少なくとも複数の折り畳み線に沿ってミシン目を有する。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
他の形態では、前記追加の折り畳み線は、前記容器が組み立てられる際に、前記平面に対して実質上垂直に折り曲げられる。
【手続補正６】
【補正対象書類名】明細書
【補正対象項目名】００１４
【補正方法】変更
【補正の内容】
【００１４】
更に他の形態では、前記容器が組み立てられる時に、前記追加の折り畳み線は、対向する側面の端の間の中間点から一方の対向する側面の端へ向かって、平面に関して異なる及び減少する角度で、折り曲げられている。
【手続補正７】
【補正対象書類名】明細書
【補正対象項目名】００２２
【補正方法】変更
【補正の内容】
【００２２】
側面１１の内側表面に、取り外し可能に貼られた底部の板２１（図１２及び図１３）は、袋１０が、つぶされた又は平らな状態から広げられ又は組み立てられる際に手動で取り外される。伸ばされた底の部品と同じ平面形状を有する底部の板は、剛性を確保し底を形作るために重複連結部１２の内部表面に寄りかかって押し出され、重複連結部１２が袋１０の内部へ折り畳まれることを阻止する。
【手続補正８】
【補正対象書類名】明細書
【補正対象項目名】００２３
【補正方法】変更
【補正の内容】
【００２３】
図１Ａに、袋１０の近接する開口端２３に取っ手２２（図１０）を取り付けるために、側面１１に孔１５が示されている。
【手続補正９】
【補正対象書類名】明細書
【補正対象項目名】００２４
【補正方法】変更
【補正の内容】
【００２４】
図２ー１４において、共通の要素又は構成部品には図１Ａ及び１Ｂで使用されるのと同じ参照番号が付されている。
【手続補正１０】
【補正対象書類名】明細書
【補正対象項目名】００２５
【補正方法】変更
【補正の内容】
【００２５】
図２ー１３における半加工品（ブランク）は、折り畳み線１６は波線で示し、一方で切断線は実線で示されている。
【手続補正１１】
【補正対象書類名】明細書
【補正対象項目名】００２６
【補正方法】変更
【補正の内容】
【００２６】
この実施形態において、底部は２つのハーフ部１２（half）から形成され、２つのハーフ部１２は内側へ折れ、外側へ動かして袋１０に平らな底を形成することを容易にするために、追加の折り畳み線１６を有する。タブ１７は、接着すること等によって半加工品の組み立ての間に、対向する底部の重複連結部１２に接着するように構成されている。ヒンジタブ１８は、組み立てられる間であって側面１１が折り畳み線２０に関して折り曲げられた後、側面１１が接合される時に端部１９の内側へ接着されるように構成されている。図示のように、個々の底部のハーフ部１２の隣接する広い平面部１２’の間の複数組の追加の折り畳み線１６、折り畳み線１４及び端部１３は、これらの隣接する広い平面部１２’の間にガセット(gusset)を画定する。
【手続補正１２】
【補正対象書類名】明細書
【補正対象項目名】００２７
【補正方法】変更
【補正の内容】
【００２７】
図５の実施形態において、追加の折り畳み線１６は、袋１０の素材を押し圧することにより形成されている。更には、折り畳み線１６は、袋１０を形成する半加工品の個々の折り畳み線１４の湾曲した円弧の半径に沿って形成される。
図６及び図７の実施形態において、折り畳み線１６は、袋１０の素材に形成されたミシン目の線として形成されている。この実施形態において、折り畳み線１６に沿って折り畳む行為は、折り畳み線１６に沿う素材にミシン目を入れることにより生ずる弱体化によって容易になる。
【手続補正１３】
【補正対象書類名】明細書
【補正対象項目名】００３０
【補正方法】変更
【補正の内容】
【００３０】
【図１Ａ】本発明の一例に係る買い物袋の実施形態の斜視図。
【図１Ｂ】その底面上で静止している図１Ａの実施形態の斜視図。
【図２】図１Ａ及び１Ｂに図示された袋を形成するための半加工品の第１実施形態の平面図。
【図３】図２と同様に、半加工品の第２実施形態の平面図。
【図４】図２と同様に、図１Ａと図１Ｂに図示された種類の袋を形成するように構成された半加工品の第３実施形態の平面図。
【図５】図２と同様に、本発明に係る袋を形成するための半加工品の第４実施形態の平面図。
【図６】図５の実施形態の改良例の図。
【図７】図５の一部の拡大図。
【図８】図６に図示する実施形態の一部の図。
【図９】底部のハーフ部に形成された折れ線を詳細に示す図７の実施形態の一部を示す。
【図１０】図８の底部の２つのハーフ部を互いに接合する方法を示す図。
【図１１】本発明の実施形態の開口した袋の斜視図。
【図１２】ほとんど完全につぶした時の図１１の実施形態の底部の図。
【図１３】本発明に係る袋の実施形態の開口上端から内側を見た図。
【図１４】図１３と同様であるが、袋の底部近傍の原位置に配置された取り外し可能な底板と共に示す図。
【国際調査報告】
2008515728.tif 000018
2008515728.tif 000019
2008515728.tif 000020